(57)【要約】      （修正有）【課題】利用者に対して広告情報を有効に配信すること。【解決手段】情報表示用のディスプレイ２１を有する移動端末２０と、移動端末２０の利用者により利用されるサービス情報および広告情報を記憶する情報記憶装置１３と、前記広告情報を移動端末２０に配信する情報配信装置とを備え、ディスプレイ２１に前記利用者の映像を撮影するカメラ手段２２を併設し、撮影された映像に基づき前記表示された広告情報に対する前記利用者の視線を検出する視線検出手段１４を前記カメラ手段２２に接続すると共に、前記情報配信装置１３が、前記視線が検出された場合に移動端末２０に前記サービス情報を配信する手段を備えた。【選択図】図１
2009180840.tif 000002
【特許請求の範囲】
【請求項１】
情報表示用のディスプレイを有する移動端末と、当該移動端末の利用者により利用されるサービス情報および広告情報を記憶する情報記憶装置と、前記広告情報を前記移動端末に配信する情報配信装置とを有する情報配信システムであって、
前記ディスプレイに前記利用者の映像を撮影するカメラ手段を併設し、前記撮影された映像に基づき前記表示された広告情報に対する前記利用者の視線を検出する視線検出手段を前記カメラ手段に接続すると共に、前記情報配信装置が、前記視線が検出された場合に前記移動端末に前記サービス情報を配信する手段を備えたことを特徴とする情報配信システム。
【請求項２】
前記請求項１に記載の情報配信システムにおいて、
前記広告情報が、前記ディスプレイに表示された場合に点滅あるいは点灯して表示されることを特徴とする情報配信システム。
【請求項３】
前記請求項１に記載の情報配信システムにおいて、
前記ディスプレイに表示された広告情報およびコンテンツ情報に向けられた前記利用者の視線を示す視線情報が予め設定された一定時間検出されない場合に、前記情報配信装置は、前記広告情報およびコンテンツ情報の配信を停止する情報配信停止機能を備えたことを特徴とする情報配信システム。
【請求項４】
前記請求項３に記載の情報配信システムにおいて、
前記ディスプレイにおける表示内容が前記広告情報からサービス情報に切り替わるのに際し、前記情報配信装置は、前記広告情報に対する視線情報と前記サービス情報に対する視線情報とが予め設定された範囲内で一定である場合に、前記サービス情報の配信を継続して行うサービス情報継続配信機能を備えたことを特徴とする情報配信システム。
【請求項５】
前記請求項３に記載の情報配信システムにおいて、
前記視線検出手段を前記移動端末内に備え、前記視線検出手段が、前記配信された広告情報およびコンテンツ情報を前記検出された視線情報に基づき前記ディスプレイに表示するか否かを決定する情報表示制御機能を有することを特徴とした情報配信システム。
【請求項６】
前記請求項３に記載の情報配信システムにおいて、
前記視線検出手段を前記情報配信装置に併設すると共に、前記視線検出手段が、前記視線情報の検出結果に基づき前記情報配信装置が前記情報を配信するか否かを制御する情報配信制御機能を備えたことを特徴とする情報配信システム。
【請求項７】
情報表示用のディスプレイを有する移動端末と、予め設定された広告情報およびサービス情報を前記移動端末に配信する情報配信装置と、前記ディスプレイに表示された広告情報に対する前記移動端末の利用者の視線を検知する視線検知装置とを備え、前記広告情報に対する前記利用者の視線が検知された場合に前記利用者に前記サービス情報を提供する情報配信方法において、
前記広告情報を配信する広告情報配信工程と、前記配信された広告情報を表示する広告情報表示行程と、前記表示された広告情報に対する前記利用者の視線を検知する視線検知工程と、前記視線が検知された利用者に対する前記サービス情報を配信するサービス情報配信工程と、前記配信されたサービス情報を表示するサービス情報表示行程とを備えたことを特徴とする情報配信方法。
【請求項８】
情報表示用のディスプレイを有する移動端末と、予め設定された広告情報およびサービス情報を前記移動端末に配信する情報配信装置と、前記ディスプレイに表示された広告情報に対する前記移動端末の利用者の視線を検知する視線検知装置とを備え、前記広告情報に対する前記利用者の視線が検知された場合に前記利用者に前記サービス情報を提供するための情報配信プログラムにおいて、
前記広告情報を配信する広告情報配信機能と、前記表示された広告情報に対する前記利用者の視線を検知する視線検知機能と、前記視線が検知された利用者に対する前記サービス情報を配信するサービス情報配信機能とを、コンピュータに実行させることを特徴とした情報配信プログラム。
【発明の詳細な説明】
【技術分野】
【０００１】
本発明は、情報端末に対して情報配信を行う手法に関し、特に情報端末の利用者が配信された広告情報を見たことを把握して、サービス情報の提供を行う情報提供の手法に関する。
【背景技術】
【０００２】
現在、情報端末に提供される映像情報などの有料コンテンツ情報を、情報端末に表示された広告を見た場合に、無料でコンテンツ情報を見ることができるサービスが提供されている。この場合、有料コンテンツ情報を利用する人が、それに先立って提供された広告情報を見たことが、コンテンツ情報を無料で利用できる前提条件となっている。
【０００３】
しかしながら、広告配信(表示)とコンテンツ配信(表示)が、同時に１画面上で行われていない場合には、コンテンツ情報を見ている利用者が、このコンテンツ情報に対応して設定された広告情報を見たということを実際に確認するということは、困難であった。
【０００４】
又、例えば、広告情報の配信が行われた後に、広告情報に対応したコンテンツ情報の配信を行う場合、先に配信された広告情報を利用者が本当に見ていたのか、また、広告情報を見た人とコンテンツを見ている人とは同一の人物なのか、といったことを確認することは困難である。
【０００５】
これに対して、サービス情報の識別情報であるQRコードが含まれた広告情報が、携帯端末に提供され、携帯端末利用者が、この広告情報に関連した詳細情報(サービス情報)を所望する場合に、利用者は携帯端末に内蔵されたカメラで提供されたQRコードを撮影することにより、所望するサービス情報にアクセスし当該サービス情報を取得するという関連技術が開示されている(特許文献１)。
【０００６】
又、広告情報を提供された利用者が、表示された広告情報をリモコンのスイッチなどを用いて選択指定することにより、利用者が、選択指定された広告情報に対応して予め設定されたクレジットを取得するという関連技術が開示されている(特許文献２)。
【０００７】
【特許文献１】特開２００２−１１１９０９公報
【特許文献２】特開２００５−５１２１６７公報
【発明の開示】
【発明が解決しようとする課題】
【０００８】
しかしながら、上記特許文献１に開示された関連情報では、利用者が所望する情報(詳細情報)を取得するにあたって、広告情報に含まれるQRコードを撮影しなければならず、こうした操作は利用者にとって複雑で煩わしいという不都合がある。
又、上記特許文献２に開示された関連技術においても、クレジットを取得するために、利用者は提供された広告情報を選択指定しなければならない。
【０００９】
また、提供されるコンテンツサービスの利用に際して要求される操作を間違えたり失敗した場合に、利用者の所望するコンテンツサービス情報を利用したり見たりすることができない、といった不都合が生じうる。
更には、要求される動作に対する煩わしさから、提供される広告情報やこれに対応するコンテンツサービス自体が敬遠されるといったこと不都合が生じうる。
【００１０】
更には、広告情報が選択指定された場合でも、利用者が選択指定された広告情報を実際に見たということを保証する情報を得ることはできず、利用者が広告情報を実際には見ていないという広告提供者側にとっての不都合が生じ得る。
【００１１】
更に、上記関連技術は、広告情報を見た人および広告情報に対する操作を行った利用者と、コンテンツ情報やクレジットなどのサービスを受ける利用者とが同一人物であるということを保証できないという不都合がある。
【００１２】
［発明の目的］
本発明は、上記従来例の有する不都合を改善し、利用者に対して広告情報を有効に通知する情報配信システム、情報配信方法、および情報配信プログラムを提供することを、その目的とする。
【課題を解決するための手段】
【００１３】
上記目的を達成するために、本発明に係る情報配信システムは、情報表示用のディスプレイを有する移動端末と、当該移動端末の利用者により利用されるサービス情報および広告情報を記憶する情報記憶装置と、前記広告情報を前記移動端末に配信する情報配信装置とを有する情報配信システムであって、前記ディスプレイに前記利用者の映像を撮影するカメラ手段を併設し、前記撮影された映像に基づき前記表示された広告情報に対する前記利用者の視線を検出する視線検出手段を前記カメラ手段に接続すると共に、前記情報配信装置が、前記視線が検出された場合に前記移動端末に前記サービス情報を配信する手段を備えた構成をとっている。
【００１４】
又、本発明にかかる情報配信方法は、情報表示用のディスプレイを有する移動端末と、予め設定された広告情報およびサービス情報を前記移動端末に配信する情報配信装置と、前記ディスプレイに表示された広告情報に対する前記移動端末の利用者の視線を検知する視線検知装置とを備え、前記広告情報に対する前記利用者の視線が検知された場合に前記利用者に前記サービス情報を提供する情報配信方法において、前記広告情報を配信する広告情報配信工程と、前記配信された広告情報を表示する広告情報表示行程と、前記表示された広告情報に対する前記利用者の視線を検知する視線検知工程と、前記視線が検知された利用者に対する前記サービス情報を配信するサービス情報配信工程と、前記配信されたサービス情報を表示するサービス情報表示行程とを備えたことを特徴としている。
【００１５】
更に、本発明にかかる情報配信プログラムは、情報表示用のディスプレイを有する移動端末と、予め設定された広告情報およびサービス情報を前記移動端末に配信する情報配信装置と、前記ディスプレイに表示された広告情報に対する前記移動端末の利用者の視線を検知する視線検知装置とを備え、前記広告情報に対する前記利用者の視線が検知された場合に前記利用者に前記サービス情報を提供するための情報配信プログラムにおいて、前記広告情報を配信する広告情報配信機能と、前記表示された広告情報に対する前記利用者の視線を検知する視線検知機能と、前記視線が検知された利用者に対する前記サービス情報を配信するサービス情報配信機能と、をコンピュータに実行させることを特徴としている。
【発明の効果】
【００１６】
本発明は、以上のように構成され機能するので、これによると、情報表示用のディスプレイを有する移動端末と、予め設定された広告情報およびサービス情報を前記移動端末に配信する情報配信装置と、前記ディスプレイに表示された広告情報に対する前記移動端末の利用者の視線を検知する視線検知装置とを備えた構成としたことにより、利用者に対して広告情報を有効に配信することができ、且つ配信された広告情報を利用者が見たか否かを有効に把握し得る情報配信システム、情報配信方法、および情報配信プログラムを提供することができる。
【発明を実施するための最良の形態】
【００１７】
［実施形態］
次に、本発明の実施形態について、その基本的構成内容を説明する。
【００１８】
本実施形態の情報配信システムは、図１に示すように、ネットワークなどの通信網により接続されたコンテンツ配信サーバ１０と移動端末２０を備えた構成をとっており、ここでは、移動端末２０は、例えば、IP通信機能を有する携帯電話を想定している。
【００１９】
移動端末２０は、コンテンツ配信サーバ１０から送り込まれた情報が表示されるディスプレイ２１と、このディスプレイ２１に近接した周辺部に設けられ移動端末２０のユーザを撮影する内蔵カメラ２２と、ディスプレイ２１および内蔵カメラ２２の動作を制御する制御手段２３と、内蔵カメラ２２により撮影された映像を、上記ネットワークを介してコンテンツ配信サーバ１０に送信する映像送信手段２４を備えた構成となっている。
【００２０】
又、コンテンツ配信サーバ１０は、情報端末に表示される広告情報を記憶した広告記憶部１１と、予め上記広告情報に対応して設定された映像情報等のコンテンツ情報を記憶するコンテンツ記憶部１２と、この広告記憶部１１およびコンテンツ記憶部に接続され、上記広告情報およびコンテンツ情報を、ネットワークを介して情報端末に配信する情報配信部(情報配信装置)１３と、移動端末２０から送り込まれる映像データに基づき移動端末２０の利用者の視線を検出する映像解析部(視線検出手段)１４を備えた構成である。
【００２１】
以下、これを詳説する。
【００２２】
広告記憶部１１は、広告情報を記憶する広告記憶保持機能を備えている。
ここで、広告記憶部１１に記憶された広告情報は、図２に示すように、ディスプレイ２１に表示された際に、この広告情報を見たユーザの眼に反射しやすい画像又は映像情報(反射情報)を含んで設定されているものとする。ここで、眼に反射しやすい映像とは、例えば丸い点が点滅又は点灯する映像、画像情報を示す。
【００２３】
これにより、映像解析手段１４は、映像送信手段２４から送り込まれる映像データからユーザの視線情報を容易に検出することができる。
【００２４】
コンテンツ記憶部１２は、映像情報、動画、アプリケーションプログラムなどのコンテンツ情報を記憶するコンテンツ情報記憶機能を備えている。このコンテンツ情報は、情報配信部１３により読み出され移動端末２０に配信される。
【００２５】
情報配信部１３は、広告記憶部１１から広告情報を読み出すと共に移動端末２０に送信する広告情報送信機能と、コンテンツ記憶部１２からコンテンツ情報を読み出すと共に移動端末２０に送信するコンテンツ情報送信機能とを備えている。
又、情報配信部１３は、映像解析部１４からの広告情報又はコンテンツ情報配信停止要求を受信した場合に、実行中の広告情報送信機能およびコンテンツ情報送信機能を停止する情報配信停止機能を備えている。
【００２６】
映像解析手段１４は、映像送信手段２４から送られてきた映像データ(カメラ映像)から、ユーザの視線を示す視線情報を検出する視線情報検出機能と、検出された視線情報が、ディスプレイ２１に表示された広告情報を見ているか否かの判定を行う視線判定機能を備えている。
【００２７】
又、映像解析手段１４は、ディスプレイ２１に表示された広告情報がコンテンツ情報に切り替わるタイミングをまたいで検出されたユーザの視線情報が、送り込まれた映像データ内で動いていないことを検出する同一視線情報検出機能を有する。
これにより、検出された視線情報が、表示情報の切替に際して動いていないことを確認された場合に、広告情報を見ていたユーザとコンテンツ情報を見ている人物とが同一人物であるとみなすことができる。
又、この場合、情報配信部１３は、コンテンツ情報の配信を継続して行う。尚、コンテンツ情報には目に反射しやすい映像(反射映像)は含まれていなくてもよい。
【００２８】
更に、映像解析手段１４は、内蔵カメラ２２で撮影している映像から、反射映像が消えることにより、広告とコンテンツの切り替わりを容易に判別することができる。
又、映像解析手段１４は、映像データに基づき、ユーザが表示された広告情報に視線を向けていないと判定されたときに、情報配信部１３に対して広告情報の配信停止を要求する広告配信停止要求機能を備えている。
【００２９】
ここで、映像解析手段１４は、ユーザがコンテンツ情報を見ているときに、視線情報が検出され且つ視線が表示されたコンテンツ情報に向けられていない場合には、コンテンツ情報の配信停止要求を行わない。
また、映像解析手段１４は、ユーザがコンテンツ情報を見ているときに、視線情報が予め設定された時間検出されない場合には、コンテンツ情報の利用者が入れ替わった可能性があるため、コンテンツ情報の停止要求を行う(コンテンツ情報停止要求機能)。
【００３０】
更に、映像解析手段１４は、コンテンツ情報を配信中に取得された映像データから、視線情報が非連続的に検知された場合にも、移動端末２０ユーザが入れ替わったと判定し、映像配信手段１３に対して広告情報およびコンテンツ情報の配信中止を指示する。 
【００３１】
ディスプレイ２１は、制御手段２３による情報表示制御の下、制御手段２３により広告情報およびコンテンツ情報の表示が行われる。
又、ディスプレイ２１は、ユーザの視線情報を撮影する内蔵カメラ２２を当該ディスプレイ２１の一部として構成されていてもよい。
【００３２】
内蔵カメラ２２は、ディスプレイ２１側から移動端末２０のユーザを撮影するユーザ撮影機能を備えている。これにより、内蔵カメラ２２は、ディスプレイ２１を見るユーザの視線を、ユーザの正面に近い方向から撮影することができ、ユーザの視線の方向、変化を詳細に撮影することができる。
尚、内蔵カメラ２２は、ディスプレイ２１の内部に設けられていてもよい。
【００３３】
尚、内蔵カメラ２２は、ディスプレイ２１の表示内容が広告情報からコンテンツ情報に切り替わるタイミングでも撮影を継続して行う。
このとき、映像解析手段１４は、広告情報の配信からコンテンツ情報の配信に切り替わるタイミングをまたいで、サービス利用者の視線をチェックしてユーザの視線がディスプレイに向けられているか否かの確認を行う。
ここでは、ユーザの視線が、広告情報に向けられた視線とコンテンツ情報に向けられた視線とが、予め設定された範囲内で一定した位置に検出された場合に、映像解析手段１４は、広告情報を見ていた人物とコンテンツ情報を見ている人物とが同一人物であると判定する。
【００３４】
制御手段２３は、ディスプレイ２１における情報の表示動作の制御を行う出力表示情報制御機能と、内蔵カメラ２２の撮影動作の制御を行う撮影動作制御機能とを備えている。
又、制御手段２３は、コンテンツ配信サーバ１０から送り込まれた広告情報およびコンテンツ情報を受信する情報受信機能と、送り込まれた広告情報およびコンテンツ情報をディスプレイ２１に出力表示を行う情報出力実行機能を備えている。
更に、制御手段２３は、広告情報を受信された場合に、内蔵カメラ２２を起動し撮影をする開始する内蔵カメラ起動機能を有する。
【００３５】
映像送信手段２４は、内蔵カメラ２２により撮影された映像を取得すると共に、当該映像を、映像解析部１４に送信する映像情報送信機能を備えている。
【００３６】
［実施形態１の動作説明］
次に、本実施形態の全体の動作について、図２に基づき説明する。
先ず、コンテンツ配信サーバ１０には、予め設定された広告情報が記憶されている。
ここで、この広告情報が、ディスプレイに表示され、それを見たユーザの眼にこの広告情報が映りこんだ場合を考える。このとき、ユーザの眼に広告情報が映りこんだ(反射した)ということが判別しやすいように、この広告情報には、眼に映りこんだことが判別しやすい映像情報が含まれているものとする。
ここでは、広告情報の左下部に赤く点滅する映像情報が含まれている。
【００３７】
ここで、コンテンツ配信サーバ１０が、予め設定された広告情報を移動端末２０に配信する((１)：広告情報配信工程)、移動端末２０が、配信された広告情報を受信し表示する((２)：広告情報表示行程)。内蔵カメラ２２で撮影された撮影データをコンテンツ配信サーバに送信する(３)。
次いで、撮影データに基づき表示された広告情報に対する移動端末２０の利用者の視線を検知する((４)：視線検知工程)。次いで、視線が検知された利用者に対するサービス情報を移動端末２０に向けて配信する((５)：サービス情報配信工程)、移動端末２０は、配信されたサービス情報を受信し表示する((６)：サービス情報表示行程)。
又、広告情報表示からコンテンツ情報表示に切り替わる時点の前後におけるユーザの視線を検出し、検出された視線の位置が一定範囲内で変化がなければ、広告情報を見ていたユーザとコンテンツ情報を見ているユーザとが同一人物と見なして、コンテンツ情報の配信を継続する(７)。
【００３８】
ここで、上記広告情報配信工程、視線検知工程、およびサービス情報配信工程については、その実行内容をプログラム化し、コンピュータに実行させるように構成してもよい。
【００３９】
次に、上記実施形態の情報配信システムの動作について図３のシーケンスチャートに基づいて説明する。
【００４０】
先ず、コンテンツ配信サーバ１０が、コンテンツ情報を配信するのに先立ち、移動端末２０に広告情報の配信を行う（ステップS１０１）。移動端末２０が、配信された広告情報を表示する（ステップS１０２）と共に、内蔵カメラを起動してユーザの撮影を開始する（ステップS１０３）。
【００４１】
ここで、移動端末２０のディスプレイ２１に表示された広告情報には、ユーザの眼に反射しやすい、例えば点滅するなどの、表示データが含まれているものとする。
このため、映像解析部１４は、ユーザの眼に反射した表示データ(以下「反射データ」という)をユーザの視線として検出を行う。これにより、コンテンツ配信サーバ１０側で容易にユーザの視線を検出することができる。
【００４２】
次に、内蔵カメラで撮影された映像データ(以下「カメラ映像」という)は、映像送信手段２４によりコンテンツ配信サーバ１０に送信される(ステップS１０４)。
【００４３】
次に、コンテンツ配信サーバ１０の映像解析部１４が、受信したカメラ映像からユーザ視線を検出し（ステップS１０５）、検出された視線情報が移動端末２０のディスプレイ(映像表示部)２１に向いているか否かの判定を行う(ステップS１０６)。
【００４４】
ここで、映像解析部１４で反射データが検出されない、つまりユーザの視線を確認できない場合に、映像解析部１４は、ディスプレイにユーザの視線が向いていないと判定すると共に（ステップS１０６：ＮＯ）、情報配信部１３が、広告情報の配信を中止する通知を行う（ステップS１０７）。
【００４５】
次いで、移動端末２０の制御手段２３が、広告配信中止の通知を受信する（ステップS１０８）と共に、内蔵カメラ２２の視線検知撮影を中止する（ステップS１０９）。 
【００４６】
一方、映像解析部１４で反射データが検出された場合、つまり、ユーザの視線がディスプレイ２１に向いていると判定された場合は、視線検知撮影および視線の検出が継続して実行され(ステップS１０６：YES)、映像解析部１４には、連続的にカメラ映像が送り込まれる。
【００４７】
ここで、予め設定された広告情報の配信が完了した場合、情報配信部１３は、コンテンツ情報の配信を開始する（ステップS１１０）と共に、制御手段２３は、コンテンツ情報を受信し、ディスプレイ２１の表示内容を広告情報からコンテンツ情報に切り替える（ステップS１１１）。 
【００４８】
ここで、内蔵カメラ２２はステップS３から継続してユーザの撮影を行っており、携帯端末２０の表示内容が広告情報からコンテンツ情報に切替表示されるタイミングでも視線検出撮影、および映像解析部１４への映像送信は継続して行われている（S１１１〜S１１２）。
【００４９】
また、映像解析部１４は、移動端末２０から送信されてくる撮影データからユーザの視線情報を検出し（ステップS１１３）、ディスプレイ２１に対する視線情報の検出が連続して行われているか否かの判定が継続して実行される（ステップS１１４）。
【００５０】
ここで、移動端末２０でコンテンツ情報を表示している間は、視線情報の検出されたユーザが入れ替わらない限り、たとえユーザの視線がディスプレイを向いていない場合でも、コンテンツ配信サーバ１０は、コンテンツ情報の配信を中止しないという設定であってもよい。
【００５１】
又、ディスプレイ２１では、図２に示すように、表示内容が広告情報からコンテンツ情報に切り替わることにより、ディスプレイ２１に表示される情報(コンテンツ情報)に表示データが表示されなくなる。
このため、映像解析部１４は、広告情報からコンテンツ情報への表示切り替わりのタイミングを容易に検出することができる。
【００５２】
ここでは、ディスプレイ２１にコンテンツ情報の表示が継続して行われる。又、コンテンツ情報の表示中においても、ステップS１１２〜S１１４が継続して実行されている。
ここで、映像解析部１４により連続的な視線情報の検出が行われない場合や予め設定された時間視線情報の検出が行われない場合には、情報配信部１３が、コンテンツ情報の配信を停止する（ステップS１１５）。
次に、コンテンツの配信が完了した場合(ステップS１１８)は、移動端末２０におけるコンテンツ情報の表示が終了される(ステップS１１９)と共に、内蔵カメラ２２によるユーザの撮影も終了される（ステップS１２０）。
【００５３】
以上のように、本実施形態では、移動端末２０に表示された広告情報をユーザが見ていることを、ユーザを撮影した映像からユーザの視線を検出することにより確認するので、広告情報の配信側で、表示された広告情報を実際にユーザが見ているか否かという情報を得ることができる。
又、検出された視線情報に基づいて、表示内容が広告情報からコンテンツ情報に切り替わるのに際し、広告情報を見ていたユーザとコンテンツ情報を見ているユーザとが同一人物であることを確認することができる。
これにより、広告情報と、その後コンテンツ情報が配信され表示されるまで、移動端末画面を見続けることにより、コンテンツ情報を利用する(見る)ことができる。このため、ユーザは広告を見ることによりコンテンツ情報を起動することができ、ユーザは、コンテンツ情報の起動に際して文字列の入力や選択入力といった操作を行うことなく、コンテンツ情報を利用することができる。
【００５４】
このため、広告情報の提供側が意図する、ユーザによる広告情報の閲覧が有効に行われ、更には、本来は有料コンテンツだが、広告閲覧を条件として、この有料コンテンツを無料で利用できるといったコンテンツ配信サービスにおいて、サービス提供者の意図に適ったサービス運用が可能となる。
【００５５】
尚、本実施形態では、映像解析手段１４は、コンテンツ配信サーバ１０の構成要素として設定されているが、移動端末２０の構成要素として設定されていてもよい。
この場合、撮影された映像データが、映像解析手段１４に対して、ネットワークを介することなく送信されるため、ユーザの視線検出をより迅速に行うことができる。
【００５６】
又、ユーザの視線検出結果に基づいて、ディスプレイ２１に広告情報又はコンテンツ情報を表示するか否かの判定を、移動端末２０側で設定することができる。
【００５７】
さらに、上述の実施形態では、広告記憶部１１とコンテンツ記憶部１２はコンテンツ配信サーバ１０内に設けているが、これはそれぞれネットワーク上の別のマシン上に記憶されていてもよい。
【産業上の利用可能性】
【００５８】
本発明は、情報端末側で広告の表示および閲覧されることを条件として、情報端末にコンテンツ情報を無料で提供するサービスやコンテンツ更新サービスに適用可能である。
【図面の簡単な説明】
【００５９】
【図１】本発明による情報配信システムの一実施形態を示す概略ブロック図である。
【図２】図１に開示した情報配信システムにおける全体的な動作を示す説明図である。
【図３】図１に開示した情報配信システムにおけるにおける全体の動作処理ステップを示したシーケンスチャートである。
【符号の説明】
【００６０】
１０  コンテンツ配信サーバ
１１  広告記憶部
１２  コンテンツ記憶部
１３  情報配信部
１４  映像解析部
２０  移動端末
２１  ディスプレイ
２２  内蔵カメラ
２３  制御手段
２４  映像送信手段
【図１】
2009180840.tif 000003
【図２】
2009180840.tif 000004
【図３】
2009180840.tif 000005